(57)【要約】【課題】二次電池の過充電を適切に抑制することができる二次電池の充電システムを提供すること。【解決手段】本発明に係る二次電池１０の充電システムは，電源装置である第１電源１００，第２電源２００により二次電池１０を充電する。また，電源装置による二次電池１０の充電を制御する充電制御部は，算出した印加電圧が，閾値電圧Ｖｓを超えたときに，電源装置による充電を停止する。充電制御部は，充電中の電源装置から出力される充電電流の電流値および電圧値を取得し，これらと，予め理論値に基づいて定めた抵抗値とにより，印加電圧を算出する。【選択図】図１
2020141485.tif 000002
【特許請求の範囲】
【請求項１】
電源装置により二次電池を充電する二次電池の充電システムにおいて，
充電中の前記電源装置への印加電圧が，予め定めた閾値電圧を超えたときに，前記電源装置による充電を停止する充電停止部を有し，
前記充電停止部は，
充電中の前記電源装置から出力される充電電流の充電電流値および充電電圧値を取得し，
前記充電電流値および前記充電電圧値と，前記充電電流が流れる経路における抵抗値として予め定めた充電抵抗値とにより，前記印加電圧を算出することを特徴とする二次電池の充電システム。
【発明の詳細な説明】
【技術分野】
【０００１】
本発明は，二次電池の充電システムに関する。より詳細には，電源装置により二次電池を充電する二次電池の充電システムに関するものである。
【背景技術】
【０００２】
リチウムイオン二次電池などの二次電池は，二次電池の充放電を行うことで機能する。そして，二次電池の充電の際には，二次電池の過充電が生じないように充電を行うことが必要である。二次電池の過充電を検知するシステムとしては，例えば，特許文献１に記載のようなものが挙げられる。
【０００３】
特許文献１では，二次電池の内部抵抗を推定し，内部抵抗推定値に応じて，過充電閾値を設定している。さらに，二次電池の電池電圧が，設定された過充電推定値を上回ったときに，二次電池の過充電が検出される過充電検出回路を設けている。そして，過充電検出回路にて二次電池の過充電が検出されたときに，二次電池の充電を停止することとしている。
【先行技術文献】
【特許文献】
【０００４】
【特許文献１】特開２００４−１３４２８７号公報
【発明の概要】
【発明が解決しようとする課題】
【０００５】
ところで，上記の従来技術では，過充電検出回路に，二次電池を充電する際の充電電流が流れるようになっている。つまり，充電電流が流れる過充電検出回路にて，電池電圧に基づく過充電の検出を行っている。しかしながら，充電電流が流れる過充電検出回路にて，電池電圧に基づく過充電の検出を行う場合，過充電検出回路に接続されている配線の配線抵抗が変化してしまうことで，過充電を適切に検出できないおそれがあった。
【０００６】
すなわち，過充電検出回路に接続された配線の配線抵抗が変化すると，過充電検出回路にかかる電圧が変化する。また，充電電流は一般的に大きな電流であり，配線抵抗のわずかな変化であっても，過充電検出回路にかかる電圧の変化量は大きなものとなってしまう。このため，上記の従来技術においては，配線抵抗の変化により，充電中の二次電池の過充電を，正確に検出できないおそれがあった。そのため，二次電池の過充電を適切に抑制できないおそれがあった。
【０００７】
本発明は，前記した従来の技術が有する問題点の解決を目的としてなされたものである。すなわちその課題とするところは，二次電池の過充電を適切に抑制することができる二次電池の充電システムを提供することである。
【課題を解決するための手段】
【０００８】
この課題の解決を目的としてなされた本発明の二次電池の充電システムは，電源装置により二次電池を充電する二次電池の充電システムであって，充電中の電源装置への印加電圧が，予め定めた閾値電圧を超えたときに，電源装置による充電を停止する充電停止部を有し，充電停止部は，充電中の電源装置から出力される充電電流の充電電流値および充電電圧値を取得し，充電電流値および充電電圧値と，充電電流が流れる経路における抵抗値として予め定めた充電抵抗値とにより，印加電圧を算出することを特徴とする二次電池の充電システムである。
【０００９】
本発明に係る二次電池の充電システムは，電源装置から出力される充電電流の充電電流値および充電電圧値等により，二次電池への印加電圧を算出し，その印加電圧に基づいて二次電池の充電を停止する。つまり，例えば，電圧計の測定した電池電圧が正確でなかったとしても，電圧計の測定値によらずに二次電池の充電を停止することができる。これにより，二次電池の過充電を適切に抑制することができる。
【発明の効果】
【００１０】
本発明によれば，二次電池の過充電を適切に抑制することができる二次電池の充電システムが提供されている。
【図面の簡単な説明】
【００１１】
【図１】第１の実施形態に係る二次電池の充電システムの概略構成図である。
【図２】第１の実施形態に係る充電システムの回路図である。
【図３】第２の実施形態に係る二次電池の充電システムの概略構成図である。
【図４】第２の実施形態に係る充電システムの回路図である。
【図５】第３の実施形態に係る二次電池の充電システムの概略構成図である。
【発明を実施するための形態】
【００１２】
以下，本発明を具体化した最良の形態について，図面を参照しつつ詳細に説明する。
【００１３】
［第１の実施形態］
図１は，本形態に係る二次電池１０の充電システム１の概略構成図である。図１に示すように，充電システム１は，二次電池１０を第１電源１００および第２電源２００により充電することができるものである。二次電池１０は，例えば，リチウムイオン二次電池等の二次電池である。
【００１４】
図１に示すように，二次電池１０は，その外面に露出して設けられた正極部２０および負極部３０を有している。正極部２０は二次電池１０の内部にて正極板に接続されている。また，負極部３０は負極板に接続されている。そして，二次電池１０は，正極部２０および負極部３０を外部の回路に接続することで充放電がなされる。なお，正極部２０および負極部３０はそれぞれ，二次電池１０から遠ざかる向きに突出するように設けられた正極端子部２１および負極端子部３１を有しており，二次電池１０が搭載された製品においては，これら端子部にて外部の回路に接続できるようになっている。
【００１５】
第１電源１００および第２電源２００は，二次電池１０に充電電流を印加することができる電源装置である。第１電源１００には第１配線１０１が接続されている。また，第１配線１０１は，両端にそれぞれ，第１プラス端子１０５，第１マイナス端子１０６を有している。第２電源２００には第２配線２０１が接続されている。また，第２配線２０１は，両端にそれぞれ，第２プラス端子２０５，第２マイナス端子２０６を有している。
【００１６】
充電システム１において，第１プラス端子１０５および第１マイナス端子１０６はそれぞれ，二次電池１０の正極部２０および負極部３０に接続されている。また，第２プラス端子２０５および第２マイナス端子２０６はそれぞれ，二次電池１０の正極部２０および負極部３０に接続されている。そして，充電システム１においては，第１電源１００および第２電源２００によって充電電流を印加することで，二次電池１０を充電することができる。
【００１７】
また，第１電源１００には，第１充電制御部１０９が設けられている。第１充電制御部１０９は，第１電源１００による充電電流の印加の開始，および，停止を制御することができるものである。第２電源２００には，第２充電制御部２０９が設けられている。第２充電制御部２０９は，第２電源２００による充電電流の印加の開始，および，停止を制御することができるものである。
【００１８】
また，図１に示すように，充電システム１は，電圧計５０を有している。電圧計５０は，配線５１の先端に設けられた端子５５，５６が接続された２点間の電位差を測定できるものである。充電システム１において，電圧計５０の端子５５，５６はそれぞれ，二次電池１０の正極部２０，負極部３０に接続される。これにより，電圧計５０は，二次電池１０の電池電圧Ｖｃを測定できるようになっている。
【００１９】
電圧計５０が測定した電池電圧Ｖｃは，第１充電制御部１０９および第２充電制御部２０９へと出力される。これにより，第１充電制御部１０９および第２充電制御部２０９は，二次電池１０の電池電圧Ｖｃを把握できる。なお，本形態において，電圧計５０は，図１に示すように，第１電源１００，第２電源２００とは異なる経路で，二次電池１０へと接続されている。よって，二次電池１０への充電電流は電圧計５０へと流れず，このため，電圧計５０によって二次電池１０の電池電圧Ｖｃを正確に測定できる構成となっている。
【００２０】
そして，充電システム１では，二次電池１０の充電の開始時には，第１充電制御部１０９および第２充電制御部２０９がそれぞれ，第１電源１００および第２電源２００による充電電流の印加を開始する。これにより，第１電源１００は，電圧値Ｖ１，電流値Ｉ１の充電電流の印加を開始する。また，第２電源２００は，電圧値Ｖ２，電流値Ｉ２の充電電流の印加を開始する。これにより，二次電池１０が充電される。
【００２１】
また図１には，抵抗値Ｒ１と抵抗値Ｒ２とを示している。抵抗値Ｒ１は，第１配線１０１そのものの抵抗値に，第１プラス端子１０５と正極部２０とにおける接触抵抗と，第１マイナス端子１０６と負極部３０とにおける接触抵抗とを合わせた抵抗値である。また，抵抗値Ｒ２は，第２配線２０１そのものの抵抗値に，第２プラス端子２０５と正極部２０とにおける接触抵抗と，第２マイナス端子２０６と負極部３０とにおける接触抵抗とを合わせた抵抗値である。
【００２２】
そして，第１充電制御部１０９および第２充電制御部２０９は，電圧計５０が測定している二次電池１０の電池電圧Ｖｃが，予め定めた閾値電圧Ｖｔを超えたときに，第１電源１００および第２電源２００による充電電流の印加を停止する。閾値電圧Ｖｔは，二次電池１０の充電が完了する電圧値に設定されている。これにより，二次電池１０の充電を適切に行うことができる。
【００２３】
さらに，充電システム１では，電圧計５０の測定値に基づく充電の停止とは別に，第１電源１００および第２電源２００による充電を停止することができる。すなわち，第１充電制御部１０９は，第１電源１００による二次電池１０への印加電圧Ｖｉ１を求め，印加電圧Ｖｉ１が，予め定めた閾値電圧Ｖｓを超えたときに，第１電源１００による充電を停止する。閾値電圧Ｖｓは，二次電池１０の過充電が生じないように定められた印加電圧の許容値である。ここで，二次電池１０，第１電源１００，第２電源２００に係る回路図は，図２のように示される。よって，第１充電制御部１０９は，印加電圧Ｖｉ１を，電圧値Ｖ１，電流値Ｉ１，第１配線１０１における抵抗値Ｒ１を用いて，次の式（１）により求める。
Ｖｉ１＝Ｖ１−（Ｒ１・Ｉ１）      ・・・（１）
【００２４】
また，第２充電制御部２０９についても同様である。すなわち，第２充電制御部２０９は，第２電源２００による二次電池１０への印加電圧Ｖｉ２を求め，印加電圧Ｖｉ２が，閾値電圧Ｖｓを超えたときに，第２電源２００による充電を停止する。第２充電制御部２０９は，印加電圧Ｖｉ２を，電圧値Ｖ２，電流値Ｉ２，第２配線２０１における抵抗値Ｒ２を用いて，次の式（２）により求める。
Ｖｉ２＝Ｖ２−（Ｒ２・Ｉ２）      ・・・（２）
【００２５】
このため，本形態の第１充電制御部１０９および第２充電制御部２０９はそれぞれ，電圧計５０の測定値によらずに，第１電源１００および第２電源２００による二次電池１０の充電を停止することができる。よって，例えば，配線５１の抵抗値が変化（例えば，端子５５，５６における接触抵抗が変化）してしまったことにより，電圧計５０が測定する電池電圧Ｖｃが，実際の二次電池１０の電池電圧とは異なる値であったとしても，二次電池１０の過充電を抑制することができる。
【００２６】
また本形態では，電圧計５０，第１電源１００，第２電源２００等の接続が，図１に示す通りに正確に行われており，電圧計５０の測定値が正確である場合，電圧計５０が測定する二次電池１０の電池電圧Ｖｃに基づいて，過充電を適切に抑制することができる。ただし，充電システム１では，電圧計５０を，第１電源１００および第２電源２００とは別の経路で二次電池１０へと接続している。
【００２７】
このため，例えば，充電システム１を複数，用いて複数の二次電池１０を同時に充電する場合，近傍に配置された二次電池１０同士について，配線ミス等が生じ得る。すなわち，電圧計５０が，接続対象とする二次電池１０ではなく，その隣の異なる二次電池１０に誤って接続されてしまう状況が生じ得る。そのような誤配線が生じた場合，電圧計５０が測定する電池電圧Ｖｃが正確な値でない（異なる二次電池１０のもの）ために，過充電が生じてしまう可能性がある。
【００２８】
しかし，本形態では，第１充電制御部１０９は，第１電源１００による二次電池１０への印加電圧Ｖｉ１を求め，印加電圧Ｖｉ１が，閾値電圧Ｖｓを超えたときに，第１電源１００による充電を停止する。このため，第１電源１００が印加する充電電流により二次電池１０の過充電が生じてしまう前に，それ以上，第１電源１００によって二次電池１０が充電されないようにすることができる。また，第２充電制御部２０９は，第２電源２００による二次電池１０への印加電圧Ｖｉ２を求め，印加電圧Ｖｉ２が，閾値電圧Ｖｓを超えたときに，第２電源２００による充電を停止する。このため，第２電源２００が印加する充電電流により二次電池１０の過充電が生じる前に，それ以上，第２電源２００によって二次電池１０が充電されないようにすることができる。
【００２９】
よって，上記のような電圧計５０の誤配線が生じた場合であっても，二次電池１０の過充電を適切に抑制することができる。また特に，本形態に係る充電システム１は，二次電池１０を短時間で充電するために，充電電流として大電流を用いる場合に有用である。大電流で充電している場合には，過充電に伴って二次電池１０が損傷してしまう等のリスクが高いからである。
【００３０】
なお，本形態において，第１電源１００，第２電源２００と二次電池１０との接続経路における抵抗値Ｒ１，Ｒ２は，端子の接触状態等によって変動することもあり，正確な値を求めることが困難である。このため，本形態では，抵抗値Ｒ１，Ｒ２として，理論値に基づいて予め定めた想定値を用いて印加電圧Ｖｉ１，Ｖｉ２を算出している。なお，抵抗値Ｒ１，Ｒ２として用いる想定値が実際の抵抗値よりも高い場合には，上記の式（１），（２）により算出される印加電圧Ｖｉ１，Ｖｉ２の値は，実際の印加電圧よりも低い値となってしまう。この場合，実際に二次電池１０に印加される電圧が，計算値である印加電圧Ｖｉ１，Ｖｉ２を超えてしまい，過充電を適切に防止できないおそれがある。そこで，本形態では，抵抗値Ｒ１，Ｒ２として用いる想定値は，実際の抵抗値よりもやや低い値となるように設定している。これにより，二次電池１０の過充電が適切に防止されるようにしている。
【００３１】
［第２の実施形態］
次に，第２の実施形態について説明する。本形態に係る充電システムについても，第１の実施形態と同様，２つの電源を用いて二次電池を充電するシステムである。ただし，本形態に係る充電システムは，電源と二次電池とを接続する配線経路が，第１の実施形態と異なる。図３は，本形態に係る充電システム２の概略構成図である。
【００３２】
充電システム２も，二次電池１０を第１電源１００および第２電源２００により充電することができるものである。本形態において，第１電源１００には第１配線１１１が，第２電源２００には第２配線２１１がそれぞれ接続されている。また，第１配線１１１および第２配線２１１の両端は，第３配線３０１に接続されている。そして，第３配線３０１に，プラス端子３０５，マイナス端子３０６が設けられている。プラス端子３０５およびマイナス端子３０６はそれぞれ，二次電池１０の正極部２０および負極部３０に接続されている。すなわち，本形態の充電システム２では，第１電源１００，第２電源２００に接続された２つの配線が，二次電池１０側では１つにまとめられた状態で，二次電池１０へと接続されている。
【００３３】
また，第１電源１００には，第１電源１００による充電電流の印加の開始，および，停止を制御することができる第１充電制御部１１９が設けられている。第２電源２００には，第２電源２００による充電電流の印加の開始，および，停止を制御することができる第２充電制御部２１９が設けられている。また，充電システム２にも，二次電池１０の電池電圧Ｖｃを測定できる電圧計５０が，第１電源１００，第２電源２００とは異なる経路で，二次電池１０へと接続されている。
【００３４】
また図３には，抵抗値Ｒ１，抵抗値Ｒ２，抵抗値Ｒ３を示している。抵抗値Ｒ１は，第１配線１１１における抵抗値である。抵抗値Ｒ２は，第２配線２１１における抵抗値である。抵抗値Ｒ３は，第３配線３０１そのものの抵抗値に，プラス端子３０５と正極部２０とにおける接触抵抗と，マイナス端子３０６と負極部３０とにおける接触抵抗とを合わせた抵抗値である。なお，本形態においても，後述する印加電圧Ｖｉ１，Ｖｉ２の算出の際には，抵抗値Ｒ１，Ｒ２，Ｒ３として，予め定めた想定値を用いる。この想定値は，第１の実施形態と同様，実際の抵抗値よりもやや低い値となるように設定している。
【００３５】
そして，充電システム２においても，第１充電制御部１１９および第２充電制御部２１９は，電圧計５０の測定値である電池電圧Ｖｃが閾値電圧Ｖｔを超えたときに，第１電源１００および第２電源２００による充電電流の印加を停止する。これにより，二次電池１０の充電を適切に行うことができる。
【００３６】
また，充電システム２においても，第１充電制御部１１９および第２充電制御部２１９は，電圧計５０の測定値に基づく充電の停止とは別に，第１電源１００および第２電源２００による充電を停止することができる。ここで，第２の実施形態においては，二次電池１０，第１電源１００，第２電源２００に係る回路図は，図４のように示される。そこで，第１充電制御部１１９は，第１電源１００による二次電池１０への印加電圧Ｖｉ１を，電圧値Ｖ１，電流値Ｉ１，電流値Ｉ２，抵抗値Ｒ１，抵抗値Ｒ３を用いて，次の式（３）により求める。
Ｖｉ１＝Ｖ１−（Ｒ１・Ｉ１）−｛Ｒ３・（Ｉ１＋Ｉ２）｝      ・・・（３）
【００３７】
また，第２充電制御部２１９は，第２電源２００による二次電池１０への印加電圧Ｖｉ２を，電圧値Ｖ２，電流値Ｉ１，電流値Ｉ２，抵抗値Ｒ２，抵抗値Ｒ３を用いて，次の式（４）により求める。
Ｖｉ１＝Ｖ２−（Ｒ２・Ｉ２）−｛Ｒ３・（Ｉ１＋Ｉ２）｝      ・・・（４）
【００３８】
そして，本形態では，第１の実施形態とは異なり，第１充電制御部１１９および第２充電制御部２１９は，求めた印加電圧Ｖｉ１，Ｖｉ２がともに，閾値電圧Ｖｓを超えたときに，第１電源１００による充電，第２電源２００による充電の両方を停止する。第２の実施形態では，第１電源１００および第２電源２００が必ず，同一の二次電池１０へと接続される。このため，算出された印加電圧Ｖｉ１，Ｖｉ２のうちいずれか一方のみが閾値電圧Ｖｓを超えたときには，実際の抵抗値が想定値である抵抗値Ｒ１，Ｒ２，Ｒ３を超えただけであり，実際に二次電池１０に印加される電圧が閾値電圧Ｖｓを超えているわけではないと判断できる。よって，第２の実施形態においては，求めた印加電圧Ｖｉ１，Ｖｉ２がともに，閾値電圧Ｖｓを超えたときに，第１電源１００による充電，第２電源２００による充電の両方を停止することとしている。
【００３９】
そして，本形態に係る充電システム２においても，電圧計５０の測定する二次電池１０の電池電圧Ｖｃが実際の二次電池１０の電池電圧とは異なる値であったとしても，二次電池１０の過充電を抑制することができる。さらに，本形態に係る充電システム２においても，電圧計５０を，第１電源１００および第２電源２００とは別の経路で二次電池１０へと接続している。このため，充電システム２においても，例えば，複数の充電システム２により複数の二次電池１０を同時に充電する場合に，電圧計５０が接続対象とする二次電池１０とは異なる二次電池１０に接続される誤配線等が生じ得る。
【００４０】
しかし，本形態においても，第１充電制御部１１９および第２充電制御部２１９は，印加電圧Ｖｉ１，Ｖｉ２を監視し，これらがともに，閾値電圧Ｖｓを超えたときに，第１電源１００による充電，第２電源２００による充電の両方を停止する。これにより，第１電源１００，第２電源２００による二次電池１０の過充電が生じる前に，二次電池１０の充電を停止することができる。
【００４１】
よって，本形態においても，電圧計５０の誤配線が生じた場合等に，二次電池１０の過充電を適切に抑制することができる。さらに，本形態では，第１の実施形態と比較し，第１電源１００，第２電源２００と二次電池１０との接続に係る配線の構成部品を低減することができる。よって，本形態では，第１の実施形態よりも安価に，二次電池１０の充電を行うことができる。
【００４２】
［第３の実施形態］
次に，第３の実施形態について説明する。本形態に係る充電システムについても，上記の実施形態と同様，２つの電源を用いて二次電池を充電するシステムである。ただし，本形態に係る充電システムは，電源と二次電池とを接続する配線経路が，上記の実施形態と異なる。図５は，本形態に係る充電システム３の概略構成図である。
【００４３】
充電システム３も，二次電池１０を第１電源１００および第２電源２００により充電することができるものである。本形態において，第１電源１００には第１配線１２１が，第２電源２００には第２配線２２１がそれぞれ接続されている。また，第１配線１２１および第２配線２２１の両端は，プラス端子３１５，マイナス端子３１６に接続されている。プラス端子３１５およびマイナス端子３１６はそれぞれ，二次電池１０の正極部２０および負極部３０に接続されている。すなわち，本形態の充電システム３でも，第２の実施形態と同様，第１電源１００，第２電源２００に接続された２つの配線が，二次電池１０側では１つにまとめられた状態となっている。
【００４４】
このため，第３の実施形態においても，二次電池１０，第１電源１００，第２電源２００に係る回路図は，第２の実施形態に係る図４に示すものと同じである。なお，第３の実施形態においては，抵抗値Ｒ１は，第１配線１２１における抵抗値である。抵抗値Ｒ２は，第２配線２２１における抵抗値である。抵抗値Ｒ３は，プラス端子３１５と正極部２０とにおける接触抵抗と，マイナス端子３１６と負極部３０とにおける接触抵抗とを合わせた抵抗値である。
【００４５】
そして，充電システム３においても，第１充電制御部１１９および第２充電制御部２１９は，電圧計５０が測定した電池電圧Ｖｃが閾値電圧Ｖｔを超えたときに，第１電源１００および第２電源２００による充電電流の印加を停止する。これにより，二次電池１０の充電を適切に行うことができる。
【００４６】
また，充電システム３においても，第１充電制御部１１９および第２充電制御部２１９は，電圧計５０の測定値に基づく充電の停止とは別に，第１電源１００および第２電源２００による充電を停止することができる。すなわち，第１充電制御部１１９は，第１電源１００による二次電池１０への印加電圧Ｖｉ１を，電圧値Ｖ１，電流値Ｉ１，電流値Ｉ２，抵抗値Ｒ１，抵抗値Ｒ３を用いて，上記の式（３）により求める。
【００４７】
さらに，第２充電制御部２１９は，第２電源２００による二次電池１０への印加電圧Ｖｉ２を，電圧値Ｖ２，電流値Ｉ１，電流値Ｉ２，抵抗値Ｒ２，抵抗値Ｒ３を用いて，上記の式（４）により求める。そして，第１充電制御部１１９および第２充電制御部２１９は，求めた印加電圧Ｖｉ１，Ｖｉ２がともに，閾値電圧Ｖｓを超えたときに，第１電源１００による充電，第２電源２００による充電の両方を停止する。
【００４８】
これにより，本形態においても，上記の実施形態と同様，電圧計５０の誤配線が生じた場合等に，二次電池１０の過充電を適切に抑制することができる。また，本形態では，第２の実施形態と同様に，第１の実施形態と比較し，第１電源１００，第２電源２００と二次電池１０との接続に係る配線の構成部品を低減することができる。よって，本形態においても，第１の実施形態よりも安価に，二次電池１０の充電を行うことができる。
【００４９】
なお，第３の実施形態の配線構成の場合であっても，例えば，プラス端子３１５と正極部２０，マイナス端子３１６と負極部３０との接触抵抗が低い場合，すなわち抵抗値Ｒ３が低い値である場合がある。そして，抵抗値Ｒ３が無視できる程度に低い場合には，第３の実施形態の配線構成においても，第１の実施形態と同様の式（１），（２）を用いて印加電圧Ｖｉ１，Ｖｉ２を求めることとしてもよい。
【００５０】
以上詳細に説明したように，上記の実施形態に係る充電システムはいずれも，電源装置である第１電源１００，第２電源２００により二次電池１０を充電する。また，電源装置による二次電池１０の充電を制御する充電制御部は，算出した印加電圧が，閾値電圧Ｖｓを超えたときに，電源装置による充電を停止する。充電制御部は，充電中の電源装置から出力される充電電流の電流値および電圧値を取得し，これらと，予め理論値に基づいて定めた抵抗値とにより，上記の式（１），（２），（３），（４）のいずれかを用いて印加電圧を算出する。これにより，電圧計５０が測定する電池電圧Ｖｃによらずに，二次電池１０の充電を停止することができる。よって，二次電池の過充電を適切に抑制することができる二次電池の充電システムが実現されている。
【００５１】
なお，本実施の形態は単なる例示にすぎず，本発明を何ら限定するものではない。従って本発明は当然に，その要旨を逸脱しない範囲内で種々の改良，変形が可能である。例えば，上記の実施形態では，充電システムがいずれも，２つの電源装置を備えることとして説明した。しかし，電源装置の数は，１つであってもよいし，３つ以上であってもよい。
【００５２】
また例えば，上記の実施形態では，リチウムイオン二次電池に本発明を適用した例について説明した。しかし，リチウムイオン二次電池に限らず。シート状の電極板等を搬送しつつ積層し，捲回によって電極体を構成する電池であれば，本発明を適用することができる。
【符号の説明】
【００５３】
１，２，３  充電システム
１０  二次電池
５０  電圧計
１００  第１電源
２００  第２電源
【図１】
2020141485.tif 000003
【図２】
2020141485.tif 000004
【図３】
2020141485.tif 000005
【図４】
2020141485.tif 000006
【図５】
2020141485.tif 000007